(57)【要約】【課題】  従来のウォーターサーバー用の液体容器用蓋は発泡性高分子からなるパッキンを介して液体容器の口部に装着しており、そのパッキンは着香性があるので、パッキンの製造時の金型内でや、輸送時に臭いが付着してしますという欠点があった。【解決手段】  本発明の液体容器用蓋は、液体容器の筒状口部の上端を覆う上蓋部と、上記上蓋部の外縁から垂下せしめた、上記筒状口部の外周面を覆う外筒と、上記上蓋部の下面に設けた、上記筒状口部の内周面を覆う内筒と、上記筒状口部の上部を覆う、逆三角形の凸部とよりなることを特徴とする。【選択図】図１
2010030679.tif 000002
【特許請求の範囲】
【請求項１】
液体容器の筒状口部の上端を覆う上蓋部と、上記上蓋部の外縁から垂下せしめた、上記筒状口部の外周面を覆う外筒と、上記上蓋部の下面に設けた、上記筒状口部の内周面を覆う内筒と、上記筒状上面部の上面を逆三角形の凸部の形状物により圧着させることを特徴とする液体容器用蓋。
【請求項２】
液体容器の筒状口部の上端を覆う上蓋部と、上記上蓋部の外縁から垂下せしめた、上記筒状口部の外周面を密着して覆う外筒と、上記外筒の上端内周面に沿って設けた、上記筒状口部の上端外周面に設けた凸部にかんごうする凹部と、上記上蓋部の下面に設けた、上記筒状口部の内周面を密着して覆う内筒と、筒状口部の上面を密着して覆う逆三角形の凸部形状と、上記上蓋部の中央部に設けた穴部と、上記上蓋部下部に設けた上記穴部を塞ぐ有底筒部とよりなることを特徴とする液体容器用蓋。
【請求項３】
上記外筒の一部を上記外筒から切り離す手段を設けたことを特徴とする請求項１または２記載の液体容器用蓋。
【発明の詳細な説明】
【技術分野】
【０００１】  本発明は液体容器用蓋、特に、ウォーターサーバー用の液体容器の口部に装着される蓋に関するものである。
【背景技術】
【０００２】  図９は従来のウォーターサーバー用の液体容器の口部に液密に装着されるキャップを示し、１は容量が例えば１９．８リットル又は１２．３リットルのプラスチック製ボトルなどの液体容器本体、２は上記液体容器本体１の上部に設けた、直径約５０ｍｍの円筒状口部、３は上記円筒状口部２の上端外周面に沿って設けられた凸部、４は上記円筒状口部２の上端を覆う上蓋部、５は上記上蓋部４下面と上記口部２上端との間に介挿された弾力性のあるドーナッツ板状の発泡ポリエチレン製のパッキン、６は上記上蓋部４の外緑から垂下せしめた、上記円筒状口部２の外周面を覆う外筒、７は上記外筒６の上部内周面に沿って設けた、上記液体容器本体１の円筒状口部２に設けた凸部３にかんごうする凹部、８は上記上蓋部４の中央部に設けた穴部、９は上記穴部８の縁部に設けた、上記穴部８を塞ぐ有底の筒部である。【０００３】  このような従来のウォーターサーバー用の液体容器は、上記キャップを装着した液体容器本体１を逆さにし、上記筒部９内にウォーターサーバーの上部に突出せしめた給水管（図示せず）を挿入せしめ、上記給水管の先端により上記筒部９の底を貫通せしめ、上記液体容器本体１内の液体を上記ウォーターサーバー内に供給せしめる。【０００４】  このようなウォーターサーバーと液体容器としては例えば特許文献１がある。
【特許文献１】特開２００７−２１０６６７号広報（第２図）
【発明の開示】
【発明が解決しようとする課題】
【０００５】  然しながら、上記従来のキャップにおいて使用するパッキンは、発泡性ポリマー（高分子材料）なので着香性があり、パッキンの製造時の金型内でや、輸送時に臭いが付着してしまうという欠点があった。【０００６】  また、上記のような従来のパッキンを用いたキャップにおいては、完全に水漏れを防ぐことができなかった。【０００７】  本発明者は種々実験検討の結果、パッキンを用いなくても、上蓋部の下面に液体容器の筒状口部の内周面と外周面を密着して覆う外筒及び内筒を設けて、上記液体容器の口部をサンドイッチ状に挟んで装着せしめることと、上蓋の下面に逆三角形凸を形成させて、液体容器の筒状の上部面へ逆三角形の形状物を圧着させる、この形状物の素材は柔軟性のプラステックを使用するので液体容器蓋は液体容器の口部への密着時に口部に圧着されると逆三角形が逆台形の形をなすことにより、液漏れを起こさない事を見出した。
本発明はかかる知見をもとになされたものである。
【課題を解決するための手段】
【０００８】  本発明の液体容器用蓋は、液体容器の筒状口部の上端を覆う上蓋部と、上記上蓋部の外縁から垂下せしめた、上記筒状口部の外周面を覆う外筒と、上記上蓋部の下面に設けた、上記筒状口部の内周面を覆う内筒と、上記筒状の上部面を密着（圧着）させる逆三角形の凸部よりなることを特徴とする。【０００９】  また、本発明の液体容器用蓋は、液体容器の筒状口部の上端を覆う上蓋部と、上記上蓋部の外縁から垂下せしめた、上記筒状口部の外周面を密着して覆う外筒と、上記外筒の上端内周面に沿って設けた、上記筒状口部の上端外周面に設けた凸部にかんごうする凹部と、上記上蓋部の下面に設けた、上記筒状口部の内周面を密着して覆う内筒と、上記筒状の口部の上部面を密着させる逆三角形の凸部と、上記上蓋部の中央部に設けた穴部と、上記上蓋部下部に設けた上記穴部を塞ぐ有底筒部とよりなることを特徴とする。【００１０】  また、上記外筒の一部を上記外筒から切り離す手段を設けたことを特徴とする。
【発明の効果】
【００１１】  本発明の液体容器用蓋によれば、パッキンを用いないので、製造コストを安くすることができる。また、パッキンを用いないので、蓋に臭いが付着することがないという大きな利益がある。
【発明を実施するための最良の形態】
【００１２】  以下の図面によって本発明の実地例を説明する。
【実地例１】
【００１３】  本発明の蓋は、図１〜図７に示すように、液体容器本体１の円筒状口部２の上端を覆う円板状の上蓋部１０と、上記上蓋部１０の外縁から垂下せしめた、上記円筒状口部２の上部外周面を密着するように覆う外筒１１と、上記外筒１１の上端内周面に沿って設けた、上記円筒状口部２の上端外周面に沿って設けられた凸部３にかんごうする凹部１２と、上記上蓋部１０の下面に設けた、上記液体容器の円筒状口部２の内周面を密着するように覆う内筒１３と、上記１０の下面に設けた逆三角形の形状２１と、上記外筒１１の下端に設けた取手部１４と、上記外筒１１の内周面に設けた、上記取手部１４の一方の付根部１５から上記外筒１１の中間部１６まで伸びる溝１７と、上記外筒部１１の内周面に設けた、上記溝１７の他端から円周方向に伸びる所望の長さの溝１８と、上記上蓋部１０の中央部に設けた穴部１９と、この穴部１９の縁部に設けた、上記穴部１９を塞ぐ有底の筒部２０とよりなる。
【００１４】  また、上記蓋は可撓性のプラスチックなどで一体成形で作製される。
【００１５】  本発明の液体容器用蓋は上記のような構成であるから、上記外筒１１及び内筒１３をたわませて、上記円筒状口部２の凸部３と上記外筒１１の凹部１２がかんごうするまで、上記外筒１１と上記内筒１３間に液体容器の円筒状口部２を挿入せしめ、上記外筒２の上部面を逆三角形の凸部で密着させれば、上記円筒状口部２に上記蓋を液密に装着できるようになる。
【００１６】  また、上記蓋を装着した液体容器を逆さにし、上記筒部２０内にウォーターサーバーの上部に突出せしめた給水管（図示せず）を挿入せしめ、上記給水管の先端により上記筒部２０の底を貫通せしめれば、上記液体容器内の液体を上記ウォーターサーバー内に供給せしめることができる。
【００１７】  また、液体容器内の液体がなくなったら、上記ウォーターサーバーから上記液体容器を取り外し、上記取手部１４を引っ張れば、図８に示すように上記外筒１１の一部が上記溝１７，１８に沿って上記外筒１１から切り離され、更に上記切り離された外筒を引っ張れば、蓋を上記液体容器から取り外せるようになる。
【００１８】  本発明の液体容器用蓋によれば、パッキンを用いなくても、上蓋部の下面に液体容器の筒状口部の内周面と外周面を密着して覆う外筒及び内筒を設けて、上記液体容器の口部をサンドイッチ状に挟んで装着せしめることと筒の上部面を逆三角形の凸状で密着させることにより、水漏れを防止することができる。
【００１９】  また、パッキンを用いないので、製造コストを安くすることができ、また、蓋に臭いが付着することがないという大きな利益がある。
【００２０】なお、上記溝１７，１８は外筒１１の内周面に設ける代わりに、外周面に設けてもよい
。また、溝の代わりに破線状の孔を設けてもよい。
【図面の簡単な説明】
【００２１】
【図１】本発明の液体容器及び蓋の縦断正面図である。
【図２】本発明の液体容器用蓋の拡大縦断正面図である。
【図３】本発明の液体容器用蓋の拡大正面図である。
【図４】本発明の液体容器用蓋の拡大平面図である。
【図５】本発明の液体容器用蓋の拡大底面図である。
【図６】本発明の液体容器用蓋の拡大左側面図である。
【図７】本発明の液体容器用蓋の外筒に設けた溝の説明用拡大縦断側面図である
【図８】本発明の液体容器用蓋の説明用拡大左側面図である。
【図９】従来の液体容器用蓋の縦断側面図である。
【符号の説明】
【００２２】  １  液体容器本体
２  円筒状口部
３  凸部
４  上蓋部
５  パッキン
６  外筒
７  凹部
８  穴部
９  筒部
１０  上蓋部
１１  外筒
１２  凹部
１３  内筒
１４  取手部
１５  付根部
１６  中間部
１７  溝
１８  溝
１９  穴部
２０  筒部
２１  逆三角形部
【図１】
2010030679.tif 000003
【図２】
2010030679.tif 000004
【図３】
2010030679.tif 000005
【図４】
2010030679.tif 000006
【図５】
2010030679.tif 000007
【図６】
2010030679.tif 000008
【図７】
2010030679.tif 000009
【図８】
2010030679.tif 000010
【図９】
2010030679.tif 000011